(57)【要約】　　　（修正有）【課題】スライド方式により書類を綴じたり、はずしたりできる便利性を具え、クリップファイルから書類が落ちたり外れたりすることを防止すクリップファイルの構造を提供する。【解決手段】折曲により形成するクリップファイル１０の上下片にそれぞれ一対の嵌め部を設け、その中上片の嵌め部は前方へ向かって開口しており、その下片の嵌め部は内側へ向かって開口しており、該綴じ具２０はＵ型を呈し、その綴じ具上部端は内側へ向かって折曲してフック部２２を形成し、同時に綴じ具は綴じている状態を保持し、クリップファイルの下片の嵌め部へ綴じ具の綴じ具下端を挟入し、綴じ具は前後にスライドし、クリップファイル内の書類を綴じ、またははずし、クリップファイルの嵌め部は綴じ具の綴じ具上のフック部へ掛合し、綴じ具が後方へスライドするとき、不意にクリップファイルから脱落することを防止する。【選択図】図２
0003098685.tif 000002
【実用新案登録請求の範囲】
【請求項１】
主にクリップファイル及びクリップファイルの綴じ具とからなり、
前記クリップファイルはプラスチック材質を折曲して上片１１と下片１２とその中央部に綴じ込み部を形成し、クリップファイルの上下片の綴じ込み部にそれぞれ曲線、波線の切り目を打抜き、それぞれが一対となる嵌め部となり、該上片の嵌め部は前方へ向かって開き、該下片の嵌め部は内へ向かって開き、
前記綴じ具は、弾性の材質をＵ型に折曲して形成したものであり、該綴じ具の綴じ具上端は内へ向かって折曲しているフック部を形成するとともに、綴じ具上端と綴じ具下はやや接触した状態にし、綴じ具の開口部は綴じた状態を保持し、綴じ具のクリップ力は書類を挟むのには十分な弾性を具有し、
前記クリップファイルの下片の嵌め部は綴じ具の綴じ具下端を挟入し、綴じ具を前後にスライドさせて、クリップファイル内の書類を綴じ又ははずし、クリップファイルの上片の嵌め部は綴じ具の綴じ具上のフック部と掛合し、限られたスペースにより綴じ具が後方へスライドするとき不意にクリップファイルから脱落することを防止することを特徴とするクリップファイルの構造。
【請求項２】
前記綴じ具の長さはクリップファイルの綴じ込み部の下片にある両嵌め部間の距離と同じであり、かつ、クリップファイルの綴じ込み部の上片にある両嵌め部の最大距離より大きいことを特徴とする請求項１記載のクリップファイルの構造。
【請求項３】
前記クリップファイルは裏表紙を結合することも可能であり、裏表紙はクリップファイルの折曲部から延伸する適正な幅の折曲するカバー片と対応し、同時に該カバー片は前方に向かって開口する両嵌め片を設け、綴じ具を掛合し、該裏表紙に内側へ向かって開口する両嵌め部を設け、よって綴じ具は限られたスペースでスライドすることを特徴とする請求項１記載のクリップファイルの構造。
【請求項４】
前記クリップファイルへ表紙を設け、別に表紙へ裏表紙を結合し、表紙、裏表紙を有するクリップファイルの構造となることを特徴とする請求項１記載のクリップファイルの構造。
【考案の詳細な説明】
【０００１】
【考案の属する技術分野】
本考案は、書類を簡単に綴じてしっかりと固定することができるファイルの構造の技術分野に属する。
【０００２】
【従来の技術】
一般にファイルは資料または書類を綴じて収納するのに用い、一方本来、雑然としている資料または書類を整理、収納、陳列するために用いられており、別方面では資料または書類を閲覧するためにも用い、欠かすことのできない文具用品の一つである。
今のところ市場でよく見かけるファイルは、袋状のもの及び綴じる状態のものの両者は異なる形態であり、その中また綴じるファイルの運用範囲は広く、その特徴は価格が安く、綴じる枚数に限度がなく、簡単にファイルの枚数を増減でき、閲覧し易いため、一般消費者に重宝されている。
【０００３】
【考案が解決しようとする課題】
ところが、上記公知の構造の欠点として、このようなファイルの綴じる構造は通常金属の綴じ具、バネの綴じ具などにより資料または書類を固定する。
上記の金属の綴じ具の場合は使用し易いがコストがかかり、経済的ではなく、バネの綴じ具の場合はコストは低いが資料または書類を孔に通すために孔を開ける必要があり、且つ資料または書類を取り出しにくく不便であるため実用性を具えないものといえる。
また、上記の綴じ具の多くは直接ファイルに固定されており、且つ仮にファイルまたは綴じ具が破損した場合、即全て使用不可となるため、壊れていない部分は資源の無駄となる。
このような綴じ具はファイルに固定されており、該ファイルは硬度を具有するファイルに適用されており、軟式の透明なプラスチックファイル（クリアケースなど）には適用しないため、利用する上で不便である。
本考案は、上記の欠点に鑑みてなされたもので、その課題は、利用価値および実用性を具えたクリップファイルのクリップの構造を提供するものである。
【０００４】
【課題を解決するための手段】
上記の課題を解決すべく、請求項１の考案は、主にクリップファイル及びクリップファイルの綴じ具とからなり、
前記クリップファイルはプラスチック材質を折曲して上片１１と下片１２とその中央部に綴じ込み部を形成し、クリップファイルの上下片の綴じ込み部にそれぞれ曲線、波線の切り目を打抜き、それぞれが一対となる嵌め部となり、該上片の嵌め部は前方へ向かって開き、該下片の嵌め部は内へ向かって開き、前記綴じ具は、弾性の材質をＵ型に折曲して形成したものであり、該綴じ具の綴じ具上端は内へ向かって折曲しているフック部を形成しており、同時に綴じ具上端と綴じ具下はやや接触した状態となり、綴じ具の開口部は綴じた状態を保持し、綴じ具のクリップ力は書類を挟むのには十分な弾性を具有し、前記クリップファイル下片の嵌め部は綴じ具の綴じ具下端を挟入し、綴じ具を前後にスライドさせて、クリップファイル内の書類を綴じ又ははずし、クリップファイル上片の嵌め部は綴じ具の綴じ具上のフック部と掛合し、限られたスペースにより綴じ具が後方へスライドするとき不意にクリップファイルから脱落することを防止するクリップファイルの綴じ込み部であることを特徴とするクリップファイルの構造である。
請求項２の考案は、前記綴じ具の長さはクリップファイルの綴じ込み部の下片にある両嵌め部間の距離と同じであり、只クリップファイルの綴じ込み部の上片にある両嵌め部の最大距離より大きいことを特徴とする請求項１記載のクリップファイルの構造である。
請求項３の考案は、前記クリップファイルは裏表紙を結合することも可能であり、裏表紙はクリップファイルの折曲部から延伸する適正な幅の折曲するカバー片と対応し、同時に該カバー片は前方に向かって開口する両嵌め片を設け、綴じ具を掛合し、該裏表紙に内側へ向かって開口する両嵌め部を設け、よって綴じ具は限られたスペースでスライドすることを特徴とする請求項１記載のクリップファイルの構造である。
請求項４の考案は、前記クリップファイルへ表紙を設け、別に表紙へ裏表紙を結合し、表紙、裏表紙を有するクリップファイルの構造となることを特徴とする請求項１記載のクリップファイルの構造である。
すなわち、前記各考案は、構造が簡単でコストが低く、且つ便利性を具えるファイルの構造に係り、また、その構造はファイルと綴じ具を別々に設計し、嵌合形式にし、破損により全て新しく買い換えなくてもよく、且つ本考案の綴じ具の構造は使用者が綴じ具を不意に落とす、またははずれたりするようなことを防止しする構造である。
また、主に折曲したファイルの折曲する所の上下にそれぞれ切り目を打抜き、前方または内側へ向かってそれぞれ一対の嵌め部を設け、Ｕ型の綴じ具の形態をしており、および綴じ具上端にフック部を設け、ファイルを利用するときはファイル下片の嵌め部に綴じ具の綴じ具下端を挟入し、綴じ具を前後にスライドし、ファイルの中の書類を綴じたり、はずしたりする。
ファイル上片の嵌め部は綴じ具の綴じ具上のフック部に掛合することにより、限られたスペースでスライドするので綴じ具が後方に向かってスライドするとき、不意に落ちたり外れたりすることを防止する構造である。
【０００５】
【考案の実施の形態】
本考案の好適な実施例を図面に沿って説明する。
まず、図１は本考案の実施例の構造を分解した指示図であり、図２、３は、その組み合わせた構造を上から見た指示図であり、図４、５は、そのその組み合わせた構造を下から見た組合せ指示図であり、主にクリップファイル１０及び綴じ具２０を示したものである。
上記のクリップファイル１０はプラスチック材質を折曲して、上片１１と下片１２とその中央部に綴じ込み部を形成し、クリップファイル１０の上下片１１、１２の綴じ込み部にそれぞれ曲線、波線の切り目を打抜き、それぞれが一対となる嵌め部１３、１３´、１４、１４´となり、該上片１１の嵌め部１３、１３´は前方へ向かって開き、その両嵌め部１３、１３´の最大距離は綴じ具２０の長さより小さい必要があり、該下片１２の嵌め部１４、１４´は内へ向かって開き、その両嵌め部１４、１４´の距離は綴じ具２０の長さと同じである。
【０００６】
上記の綴じ具２０は、弾性の材質をＵ型に折曲して形成したものであり、綴じ具２０の長さはクリップファイル１０の下片１２の両嵌め部１４、１４´間の距離と同じであり、かつ、ファイル１０の上片１１の両嵌め部１３と１３´の最大距離よりも大きい、該綴じ具２０の綴じ具上２１の端は内へ向かって折曲しているフック部２２を形成しており、同時に綴じ具上端と綴じ具下はやや接触した状態となり、綴じ具の開口部は綴じた状態を保持し、綴じ具のクリップ力は書類を挟むのには十分なゆとりを有する弾性を具有する。
【０００７】
上記の構造により、本実施例の使用する手順は、該綴じ具２０をクリップファイル１０の綴じ込み部へ設置する時、クリップファイル１０の下片１２にある両嵌め部１４、１４´へ綴じ具２０の綴じ具下２３の端を挟入し、綴じ具２０は前後にスライドすることとなり、クリップファイル１０の上片１１の両嵌め部１３、１３´は綴じ具２０の上片２１のフック部２２と掛合し、綴じ具２０は限られたスペース内で後方へ向かってスライドする。（図６から１０に示す。）
このファイルクリップ１０へ嵌め部１３、１３´、１４、１４´を予め設け、綴じ具２０を設置すると本考案の綴じ込み構造となる（図１１〜図１４に示す。）
そして、資料または書類１をファイルに綴じる時、まず、綴じ具２０を後方へ向かってスライドし、資料または書類１をファイル内部へ挟み、次に綴じ具２０を前方へ向かってスライドし、クリップファイル１０の下片１２の両嵌め部１４、１４´は綴じ具２０の綴じ具下２３により安定して綴じるように作用する。
上記の綴じ具２０の開口側は張力にゆとり有す弾性を具有し、綴じ具２０は資料または書類１を綴じ易くしっかりと固定することができる。
【０００８】
次に、資料または書類１をクリップファイル１０からはずす時は、綴じ具２０を後方へスライドさせ、綴じ具２０から資料または書類１をはずす状態となり、クリップファイル１０の上片１１の両嵌め部１３、１３´は綴じ具２０の綴じ具上２１のフック部２２と掛合しており、不注意または力を入れすぎてもクリップファイル１０から綴じ具２０が外れ落ちることを防止する。
【０００９】
また、図１５に構成を分解した指示図および図１６に構成を組合せた指示図を示すように、本考案のもう一つの実施例を説明する。
主に、本考案の前記の実施例の綴じ込みの構造とは、異なる形式のクリップファイル３０の作用であり、該クリップファイル３０は基本的にプラスチックを折曲して形成するものであり、その内部は裏表紙３１を設け、裏表紙３１はクリップファイル３０の折曲部から延伸する適正な幅のカバー片３２に対応し、クリップファイル３０の綴じ込み部の構造となる。
該カバー片３２は前方へ向かって開口している両嵌め部３３、３３´の切り目を打抜き、該裏表紙３１は内側へ向かって開口する両嵌め部３４、３４´の切り目を打抜き、同様に裏表紙３１の両嵌め部３４、３４´へ綴じ具２０の綴じ具下２３端を挟入し、綴じ具２０は前後にスライドし、資料または書類１を綴じる又ははずし、カバー片３２の両嵌め部３３、３３´は綴じ具２０の綴じ具上２１のフック部２２と掛合し、限られたスペースで綴じ具２０が後方へスライドし、不意にはずれ落ちてしまうことを防止し、便利性と実用性を兼ね備える効果を達成する。
【００１０】
また、図１７、図１８に、本考案のもう一つの実施例を示すが、表紙付きファイル３５に書類を綴じる構造指示図であり、クリップファイルへ表紙を設け、別に表紙へ裏表紙を結合し、表紙付きファイル３５の内側に、綴じ具２０を配置して、表紙、裏表紙を有するクリップファイルである。
【００１１】
【考案の効果】
以上説明したように、本考案によると、異なる形式のクリップファイルの嵌め部に対応する綴じ具であり、その単純な構造であっても、クリップファイルに資料または書類を需要に応じて綴じることができるという効果が得られ、また、クリップファイルと綴じ具をそれぞれ分離させた構造であるので、コストも低く、且つ、資料または書類を綴じるまたははずす作業が簡単にできるという効果が得られる。
【図面の簡単な説明】
【図１】本考案の実施例の構成を分解した指示図である。
【図２】本考案の実施例の構成を上から見た指示図である。
【図３】本考案の実施例の構成を組み合わせた上から見た指示図である。
【図４】本考案の実施例の構成を下から見た指示図である。
【図５】本考案の実施例の構成を組み合わせた下から見た指示図である。
【図６】本考案の実施例の構成の綴じる状態の構造の指示図である。
【図７】本考案の実施例の構成を綴じた状態の構造の指示図である。
【図８】本考案の実施例の構成において、綴じる手順の状態の説明の指示図である。
【図９】本考案の実施例の構成において、綴じる次の手順の状態の説明の指示図である。
【図１０】本考案の実施例の構成において、資料または書類を綴じる作業を説明する指示図である。
【図１１】本考案の実施例の構成において、資料または書類を綴じる作業を説明する指示図である。
【図１２】本考案の実施例の構成において、資料または書類を綴じる次の作業を説明する指示図である。
【図１３】本考案の実施例の構成において、資料または書類を綴じる次の作業を説明する指示図である。
【図１４】本考案の実施例の構成において、資料または書類を綴じた状態を説明する指示図である。
【図１５】本考案のもう一つの実施例の構造を分解した指示図である。
【図１６】本考案のもう一つの実施例の構造を組合せた指示図である。
【図１７】本考案のもう一つの実施例である表紙付きクリップファイルの構造を組合せ指示図である。
【図１８】本考案のもう一つの実施例である表し付きクリップファイルおよび書類を配合する構造組合せ指示図である。
【符号の説明】
１　　書類
１０　ファイル
１１　上部
１２　下部
１３、１３´嵌め部
１４、１４´嵌め部
２０　綴じ具
２１　上綴じ部
２２　フック部
２３　下綴じ部
３０　ファイル
３１　裏表紙
３２　カバー片
３３、３３´　嵌め部
３４、３４´嵌め部
３５　表紙
【図１】
0003098685.tif 000003
【図２】
0003098685.tif 000004
【図３】
0003098685.tif 000005
【図４】
0003098685.tif 000006
【図５】
0003098685.tif 000007
【図６】
0003098685.tif 000008
【図７】
0003098685.tif 000009
【図８】
0003098685.tif 000010
【図９】
0003098685.tif 000011
【図１０】
0003098685.tif 000012
【図１１】
0003098685.tif 000013
【図１２】
0003098685.tif 000014
【図１３】
0003098685.tif 000015
【図１４】
0003098685.tif 000016
【図１５】
0003098685.tif 000017
【図１６】
0003098685.tif 000018
【図１７】
0003098685.tif 000019
【図１８】
0003098685.tif 000020